(57)【要約】【課題】無線通信回路において、電力増幅器へ供給する電源電圧を、個々の電力増幅器の歪み特性に応じて制御すること。【解決手段】無線通信回路１において、電力増幅部２は、信号を増幅して出力する。包絡線検波部３は、電力増幅部２への入力信号の包絡線振幅波形を抽出する。オフセット生成部４は、電力増幅部２の出力信号の歪み量に基づいて、電力増幅部２に印加される電源電圧に対するオフセット値を生成する。電源電圧変調部５は、包絡線検波部３によって抽出される包絡線振幅波形とオフセット生成部４によって生成されるオフセット値とに基づいて、電力増幅部２に印加される電源電圧を制御する。【選択図】図１
2015037284.tif 000002
【特許請求の範囲】
【請求項１】
信号を増幅して出力する電力増幅部と、
前記電力増幅部への入力信号の包絡線振幅波形を抽出する包絡線検波部と、
前記電力増幅部の出力信号の歪み量に基づいて、前記電力増幅部に印加される電源電圧に対するオフセット値を生成するオフセット生成部と、
前記包絡線検波部によって抽出される前記包絡線振幅波形と前記オフセット生成部によって生成される前記オフセット値とに基づいて、前記電力増幅部に印加される電源電圧を制御する電源電圧変調部と、
を備えることを特徴とする無線通信回路。
【請求項２】
前記電力増幅部の出力信号の歪み量は、前記電力増幅部の出力信号の電力と、前記出力信号のチャネルに隣接するチャネルの電力との比で表されることを特徴とする請求項１に記載の無線通信回路。
【請求項３】
前記オフセット値は、前記電力増幅部の出力信号の歪み量と、予め設定される目標歪み量との差分に比例する値で表されることを特徴とする請求項１または２に記載の無線通信回路。
【請求項４】
前記電力増幅部の出力信号の歪み量と、予め設定される目標歪み量との差分に対する前記オフセット値を格納するテーブルを有することを特徴とする請求項３に記載の無線通信回路。
【請求項５】
信号を増幅して出力する電力増幅部と、
前記電力増幅部への入力信号の包絡線振幅波形を抽出する包絡線検波部と、
前記電力増幅部の出力信号の歪み量に基づいて、前記電力増幅部に印加される電源電圧に対するオフセット値を生成するオフセット生成部と、
前記包絡線検波部によって抽出される前記包絡線振幅波形と前記オフセット生成部によって生成される前記オフセット値とに基づいて、前記電力増幅部に印加される電源電圧を制御する電源電圧変調部と、
を備える無線通信回路を有することを特徴とする無線通信装置。
【発明の詳細な説明】
【技術分野】
【０００１】
この発明は、無線通信回路及び無線通信装置に関する。
【背景技術】
【０００２】
従来、無線通信装置などの装置に用いられる電力増幅器へ供給する電源電圧を制御する技術の一つに、エンベロープトラッキング方式がある。エンベロープトラッキング方式では、電力増幅器へ供給される電源電圧は、電力増幅器が増幅する入力信号の包絡線情報に基づいて制御される（例えば、特許文献１参照）。
【先行技術文献】
【特許文献】
【０００３】
【特許文献１】特開２０１１−１８８１２０号公報
【発明の概要】
【発明が解決しようとする課題】
【０００４】
しかしながら、従来のエンベロープトラッキング方式では、個々の電力増幅器の歪み特性にはばらつきがあり、その個々の歪み特性のばらつきに対応していないため、そのばらつきを吸収し得る程度に余裕を持たせて電力増幅器に電源電圧を供給する必要がある。従って、電源電圧に余裕を持たせる分、電力効率が低下してしまうという問題点がある。
【０００５】
電力増幅器へ供給する電源電圧を、個々の電力増幅器の歪み特性に応じて制御することができる無線通信回路及び無線通信装置を提供することを目的とする。
【課題を解決するための手段】
【０００６】
無線通信回路は、電力増幅部、包絡線検波部、オフセット生成部及び電源電圧変調部を備える。電力増幅部は、信号を増幅して出力する。包絡線検波部は、電力増幅部への入力信号の包絡線振幅波形を抽出する。オフセット生成部は、電力増幅部の出力信号の歪み量に基づいて、電力増幅部に印加される電源電圧に対するオフセット値を生成する。電源電圧変調部は、包絡線検波部によって抽出される包絡線振幅波形とオフセット生成部によって生成されるオフセット値とに基づいて、電力増幅部に印加される電源電圧を制御する。
【０００７】
無線通信装置は、電力増幅部、包絡線検波部、オフセット生成部及び電源電圧変調部を備える無線通信回路を有する。電力増幅部は、信号を増幅して出力する。包絡線検波部は、電力増幅部への入力信号の包絡線振幅波形を抽出する。オフセット生成部は、電力増幅部の出力信号の歪み量に基づいて、電力増幅部に印加される電源電圧に対するオフセット値を生成する。電源電圧変調部は、包絡線検波部によって抽出される包絡線振幅波形とオフセット生成部によって生成されるオフセット値とに基づいて、電力増幅部に印加される電源電圧を制御する。
【発明の効果】
【０００８】
この無線通信回路及び無線通信装置によれば、電力増幅器へ供給する電源電圧を、個々の電力増幅器の歪み特性に応じて制御することができる。
【図面の簡単な説明】
【０００９】
【図１】図１は、実施の形態にかかる無線通信回路の第１の例を示す図である。
【図２】図２は、図１に示す無線通信回路における信号の流れの一例を示す図である。
【図３】図３は、実施の形態にかかる無線通信装置の一例を示す図である。
【図４】図４は、図３に示す無線通信装置における信号の流れの一例を示す図である。
【図５】図５は、実施の形態にかかる無線通信回路の第２の例を示す図である。
【図６】図６は、図５に示す無線通信回路における信号の流れの一例を示す図である。
【図７】図７は、図５に示す無線通信回路における歪み判定回路の一例を示す図である。
【図８】図８は、図７に示す歪み判定回路における信号の流れの一例を示す図である。
【図９】図９は、図７に示す歪み判定回路におけるテーブルの一例を示す図である。
【図１０】図１０は、図５に示す無線通信回路の動作の一例を示す図である。
【発明を実施するための形態】
【００１０】
以下に添付図面を参照して、この無線通信回路及び無線通信装置の好適な実施の形態を詳細に説明する。以下の各実施例の説明においては、同様の構成要素には同一の符号を付して、重複する説明を省略する。
【００１１】
・無線通信回路の第１の例
図１は、実施の形態にかかる無線通信回路の第１の例を示す図である。図２は、図１に示す無線通信回路における信号の流れの一例を示す図である。図１及び図２に示すように、無線通信回路１は、電力増幅部２、包絡線検波部３、オフセット生成部４及び電源電圧変調部５を有する。無線通信回路１は、無線通信に用いられる回路であって、送信側の信号処理を行う回路である。
【００１２】
電力増幅部２の入力端は、無線通信回路１の入力端子６に接続されている。電力増幅部２は、無線通信回路１の入力端子６に入力される信号を増幅して出力する。無線通信回路１の入力端子６には、例えば図示しない変調部から、ベースバンド信号を用いて搬送波を変調したＲＦ（Ｒａｄｉｏ  Ｆｒｅｑｕｅｎｃｙ、無線周波数）信号が入力されてもよい。
【００１３】
電力増幅部２の出力端は、無線通信回路１の出力端子７に接続されている。電力増幅部２によって増幅された信号は、無線通信回路１の出力端子７から出力される。無線通信回路１の出力端子７には、例えばアンテナが接続されていてもよい。例えば、図示しない変調部から無線通信回路１に入力されたＲＦ信号は、電力増幅部２によって増幅されて図示しないアンテナから空間へ放射されてもよい。
【００１４】
包絡線検波部３は、無線通信回路１の入力端子６に接続されている。包絡線検波部３は、電力増幅部２に入力される信号の包絡線振幅波形を抽出する。包絡線検波部３は、例えば公知の技術によって包絡線振幅波形を抽出することができる。
【００１５】
オフセット生成部４は、無線通信回路１の出力端子７に接続されている。オフセット生成部４は、電力増幅部２の出力信号の歪み量を検出し、検出した歪み量に基づいて、電力増幅部２に印加される電源電圧に対するオフセット値を生成する。
【００１６】
電源電圧変調部５は、包絡線検波部３及びオフセット生成部４に接続されている。電源電圧変調部５には、包絡線検波部３から、包絡線検波部３によって抽出された包絡線振幅波形の情報が入力される。また、電源電圧変調部５には、オフセット生成部４から、オフセット生成部４によって生成されたオフセット値が入力される。電源電圧変調部５は、包絡線振幅波形とオフセット値とに基づいて、エンベロープトラッキング方式によって、電力増幅部２に印加される電源電圧を制御する。
【００１７】
電力増幅部２、包絡線検波部３、オフセット生成部４及び電源電圧変調部５は、ハードウェアによって実現されてもよい。また、電力増幅部２の出力信号の歪み量を検出する処理の一部、またはオフセット値を生成する処理の一部を、プロセッサがソフトウェアを実行することによって実現してもよい。
【００１８】
図１に示す無線通信回路１によれば、電力増幅部２への入力信号の包絡線振幅波形が、電力増幅部２からの出力信号の歪み量に対応するオフセット値によって補正される。そのため、エンベロープトラッキング方式によって電力増幅部２に電源電圧を供給するにあたって、個々の電力増幅部の歪み特性に応じて電源電圧を制御することができる。それによって、従来のように電力増幅部２に供給する電源電圧に、個々の電力増幅部の歪み特性のばらつきを吸収し得る程度の余裕を持たせる必要がないため、電力効率が向上するという効果が得られる。
【００１９】
・無線通信装置の一例
図３は、実施の形態にかかる無線通信装置の一例を示す図である。図４は、図３に示す無線通信装置における信号の流れの一例を示す図である。図３及び図４に示すように、無線通信装置１１は、例えばベースバンド処理部１２、送信側ＲＦ部１３、受信側ＲＦ部１４、デュプレクサ１５及びアンテナ１６を有していてもよい。無線通信装置１１は、例えば携帯電話機、スマートフォンもしくはタブレットなどの携帯端末、または基地局などの無線通信装置であってもよい。
【００２０】
ベースバンド処理部１２は、無線通信装置１１の入力端子１７及び出力端子１８に接続されている。無線通信装置１１の入力端子１７には、例えば図示しないアプリケーション処理部から送信データが入力されてもよい。ベースバンド処理部１２は、アプリケーションから渡される送信データに対して、例えば誤り訂正符号化やマッピングなどの処理を行う。ベースバンド処理部１２で処理された送信信号は、送信側ＲＦ部１３へ送られる。
【００２１】
また、ベースバンド処理部１２は、受信側ＲＦ部１４に接続されている。ベースバンド処理部１２は、受信側ＲＦ部１４から渡されるベースバンド信号に対して、デマッピングや誤り訂正復号などの処理を行う。ベースバンド処理部１２で処理された受信データは、無線通信装置１１の出力端子１８からアプリケーションへ渡される。
【００２２】
送信側ＲＦ部１３は、ベースバンド処理部１２から渡された送信信号を無線周波数帯の信号に変換する。送信側ＲＦ部１３は、変調部２１及び例えば上述した無線通信回路１を有していてもよい。無線通信回路１は、電力増幅部２、包絡線検波部３、オフセット生成部４及び電源電圧変調部５を有していてもよい。これら電力増幅部２、包絡線検波部３、オフセット生成部４及び電源電圧変調部５については、図１に示す無線通信回路の第１の例において説明した通りであるため、重複する説明を省略する。
【００２３】
変調部２１は、ベースバンド処理部１２に接続されている。変調部２１は、ベースバンド処理部１２から渡されるベースバンドの送信信号を用いて搬送波を変調してＲＦ信号を出力する。変調部２１から出力されたＲＦ信号は、無線通信回路１の電力増幅部２及び包絡線検波部３に渡される。
【００２４】
また、変調部２１から出力されたＲＦ信号は、デュプレクサ１５を介してアンテナ１６へ送られ、アンテナ１６から空間へ放射される。デュプレクサ１５は、電力増幅部２に接続されており、アンテナ１６はデュプレクサ１５に接続されている。
【００２５】
受信側ＲＦ部１４は、アンテナ１６で受信され、デュプレクサ１５を介して渡された無線周波数帯の受信信号をベースバンド信号に変換する。受信側ＲＦ部１４は、低雑音増幅部２２及び復調部２３を有していてもよい。
【００２６】
低雑音増幅部２２は、デュプレクサ１５に接続されている。低雑音増幅部２２は、デュプレクサ１５から渡された受信信号を増幅する。復調部２３は、低雑音増幅部２２に接続されている。復調部２３は、低雑音増幅部２２から渡された無線周波数帯の受信信号を復調してベースバンド信号を出力する。復調部２３から出力されたベースバンド信号は、ベースバンド処理部１２に渡される。
【００２７】
図３に示す無線通信装置１１によれば、電力増幅部２への入力信号の包絡線振幅波形が、電力増幅部２からの出力信号の歪み量に対応するオフセット値によって補正される。そのため、エンベロープトラッキング方式によって電力増幅部２に電源電圧を供給するにあたって、個々の電力増幅器の歪み特性に応じて電源電圧を制御することができる。それによって、従来のように電力増幅部２に供給する電源電圧に、個々の電力増幅器の歪み特性のばらつきを吸収し得る程度の余裕を持たせる必要がないため、電力効率が向上するという効果が得られる。
【００２８】
・無線通信回路の第２の例
図５は、実施の形態にかかる無線通信回路の第２の例を示す図である。図６は、図５に示す無線通信回路における信号の流れの一例を示す図である。図５及び図６に示すように、無線通信回路３１は、可変利得増幅器３２、電力増幅器３３、包絡線検波回路３４、電源電圧変調回路３５、カプラ３６、直交復調器３７及び歪み判定回路３８を有する。
【００２９】
無線通信回路３１は、無線通信に用いられる回路であって、送信側の信号処理を行う回路である。無線通信回路３１は、直交変調及び直交復調を行う無線通信装置に用いられる無線通信回路であってもよい。例えば、無線通信回路３１は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、登録商標）方式に対応する無線通信回路であってもよい。無線通信回路の第２の例では、無線通信回路３１は、ＷＣＤＭＡ方式に対応しているものとして説明する。
【００３０】
可変利得増幅器３２の入力端は、無線通信回路３１の入力端子３９に接続されている。可変利得増幅器３２は、送信電力レベルが所望の値になるように利得を調整し、無線通信回路３１の入力端子３９に入力される信号を増幅して出力する。無線通信回路３１の入力端子３９には、例えば図示しない直交変調器から、ベースバンド信号を用いて搬送波を変調したＲＦ信号が入力されてもよい。
【００３１】
電力増幅器３３の入力端は、可変利得増幅器３２の出力端に接続されている。電力増幅器３３は、可変利得増幅器３２から出力された信号を増幅して出力する。電力増幅器３３は、電力増幅部の一例である。電力増幅器３３の出力端には、カプラ３６などの分配器が接続されている。
【００３２】
カプラ３６は、電力増幅器３３から出力された信号を無線通信回路３１の出力端子４０と直交復調器３７とに分配する。無線通信回路３１の出力端子４０には、例えばアンテナが接続されていてもよい。カプラ３６によって無線通信回路３１の出力端子４０へ分配された一方の信号は、図示しないアンテナから空間へ放射されてもよい。
【００３３】
直交復調器３７は、カプラ３６に接続されている。直交復調器３７は、カプラ３６によって直交復調器３７へ分配されたもう一方の信号を直交復調してベースバンド信号を出力する。
【００３４】
歪み判定回路３８は、直交復調器３７に接続されている。歪み判定回路３８は、直交復調器３７の出力信号に基づいて、電力増幅器３３の出力信号の歪み量を検出し、検出した歪み量に基づいて、電力増幅器３３に印加される電源電圧に対するオフセット値を生成する。歪み判定回路３８の詳細については、後述する。直交復調器３７及び歪み判定回路３８は、オフセット生成部の一例である。
【００３５】
包絡線検波回路３４は、無線通信回路３１の入力端子３９に接続されている。包絡線検波回路３４は、可変利得増幅器３２に入力される信号の包絡線振幅波形を抽出する。包絡線検波回路３４は、例えば公知の技術によって包絡線振幅波形を抽出することができる。包絡線検波回路３４は、包絡線検波部の一例である。
【００３６】
電源電圧変調回路３５は、包絡線検波回路３４及び歪み判定回路３８に接続されている。電源電圧変調回路３５には、包絡線検波回路３４から、包絡線検波回路３４によって抽出された包絡線振幅波形の情報が入力される。また、電源電圧変調回路３５には、歪み判定回路３８から、歪み判定回路３８によって生成されたオフセット値が入力される。電源電圧変調回路３５は、包絡線振幅波形とオフセット値とに基づいて、エンベロープトラッキング方式によって、電力増幅器３３に印加される電源電圧を制御する。電源電圧変調回路３５は、電源電圧変調部の一例である。
【００３７】
可変利得増幅器３２、電力増幅器３３、包絡線検波回路３４、電源電圧変調回路３５、カプラ３６、直交復調器３７及び歪み判定回路３８は、ハードウェアによって実現されてもよい。また、歪み判定回路３８において、電力増幅器３３の出力信号の歪み量を検出する処理の一部、またはオフセット値を生成する処理の一部は、プロセッサがソフトウェアを実行することによって実現されてもよい。
【００３８】
図７は、図５に示す無線通信回路における歪み判定回路の一例を示す図である。図８は、図７に示す歪み判定回路における信号の流れの一例を示す図である。図７及び図８に示すように、歪み判定回路３８は、フィルタ５１、２個のレベル検出回路５２，５３、レベル比算出回路５４、減算器５５、メモリ５６及びテーブル５８を有していてもよい。
【００３９】
一方のレベル検出回路５２は、歪み判定回路３８の入力端子５９に接続されている。歪み判定回路３８の入力端子５９には、直交復調器３７からベースバンド信号が入力される。レベル検出回路５２は、直交復調器３７から入力されるベースバンド信号の全電力を検出する。レベル検出回路５２は、例えば公知の技術によって電力レベルを測定することができる。
【００４０】
フィルタ５１は、歪み判定回路３８の入力端子５９に接続されている。フィルタ５１は、直交復調器３７から入力されるベースバンド信号から、電力増幅器３３の出力信号のチャネルに隣接するチャネルの信号を抽出する。フィルタ５１は、例えば公知の技術によって、電力増幅器３３の出力信号のチャネルに隣接するチャネルの信号を抽出することができる。
【００４１】
隣接するチャネルの離調周波数は、通信方式により異なる。例えばＷＣＤＭＡ方式では、離調周波数は５ＭＨｚであるとしてもよい。従って、ＷＣＤＭＡ方式の場合、フィルタ５１は、電力増幅器３３の出力信号の搬送波周波数に対して５ＭＨｚ離れた周波数の信号を抽出してもよい。
【００４２】
もう一方のレベル検出回路５３は、フィルタ５１に接続されている。レベル検出回路５３は、フィルタ５１によって抽出された、電力増幅器３３の出力信号のチャネルに隣接するチャネルの信号の電力を検出する。ＷＣＤＭＡ方式の場合、レベル検出回路５３は、電力増幅器３３の出力信号の搬送波周波数に対して５ＭＨｚ離れた周波数の信号の電力を検出してもよい。レベル検出回路５３は、例えば公知の技術によって電力レベルを測定することができる。
【００４３】
レベル比算出回路５４は、両レベル検出回路５２，５３に接続されている。レベル比算出回路５４は、一方のレベル検出回路５２によって検出された電力レベルと、もう一方のレベル検出回路５３によって検出された電力レベルとの比を算出する。つまり、レベル比算出回路５４は、無線通信回路３１の送信電力レベルと、送信チャネルに隣接するチャネルの電力との比を算出する。
【００４４】
一般に、電力増幅器３３で歪みが生じると、その歪みによって、搬送波周波数のチャネルに隣接する周波数チャネルにまでスペクトラムが広がることがある。このようにスペクトラムが広がると、隣接するチャネルを使用する別ユーザの通信が妨害されてしまう。そこで、歪み判定回路３８においては、搬送波周波数のチャネルの電力と、隣接するチャネルに漏れ込んだスペクトラムの電力との比を、歪みとして定義することができる。従って、レベル比算出回路５４は、電力増幅器３３で生じる歪み量を測定していることになる。
【００４５】
減算器５５は、レベル比算出回路５４及びメモリ５６に接続されている。メモリ５６には、目標歪み量５７が格納されている。目標歪み量５７は、電波法等の法律によって定められている歪み量を満足するように、予め製造段階において実験等によって求められていてもよい。減算器５５は、レベル比算出回路５４によって算出された歪み量と目標歪み量５７との差分を算出する。
【００４６】
テーブル５８は、減算器５５に接続されている。テーブル５８は、レベル比算出回路５４によって算出された歪み量と目標歪み量５７との差分（以下、歪み量の差分と称する）の値に対応するオフセット値を格納している。テーブル５８は、減算器５５から歪み量の差分の値を受け取ると、その歪み量の差分の値に対応するオフセット値を出力する。テーブル５８の出力形態は、オフセット値に対応するアナログ電圧であってもよいし、デジタル化されたコード値であってもよい。テーブル５８には、歪み判定回路３８の出力端子６０が接続されており、テーブル５８から出力されたオフセット値は、歪み判定回路３８の出力端子６０を経て電源電圧変調回路３５へ通知される。
【００４７】
図９は、図７に示す歪み判定回路におけるテーブルの一例を示す図である。図９に示すように、テーブル５８は、歪み量の差分の各値に対応するオフセット値を有する。テーブル５８は、予め設計段階において実験等によって求められていてもよい。
【００４８】
特に限定しないが、例えば図９に示す例では、歪み量の差分が０ｄＢである場合、対応するオフセット値は０Ｖである。また、例えば図９に示す例では、歪み量の差分が−５ｄＢ、−４ｄＢ、−３ｄＢ、−２ｄＢ及び−１ｄＢである場合のそれぞれのオフセット値は、−０．５Ｖ、−０．４Ｖ、−０．３Ｖ、−０．２Ｖ及び−０．１Ｖである。また、例えば図９に示す例では、歪み量の差分が１ｄＢ、２ｄＢ、３ｄＢ、４ｄＢ及び５ｄＢである場合のそれぞれのオフセット値は、０．１Ｖ、０．２Ｖ、０．３Ｖ、０．４Ｖ及び０．５Ｖである。
【００４９】
電源電圧変調回路３５は、包絡線振幅波形に基づいて電源電圧変調情報を作成する。図９に示す例のように、歪み量の差分が負の値である場合に負のオフセット値であり、歪み量の差分が正の値である場合に正のオフセット値である場合、電源電圧変調回路３５は、作成した電源電圧変調情報にオフセット値を加えた情報に基づいて、電力増幅器３３に印加される電源電圧を変調する。
【００５０】
それによって、無線通信回路３１から送信される信号の歪み量が目標歪み量５７よりも小さい場合には、歪み量が目標歪み量５７以下となる範囲で電力増幅器３３の電源電圧が低くなる。一方、無線通信回路３１から送信される信号の歪み量が目標歪み量５７よりも大きい場合には、歪み量が目標歪み量５７の範囲に納まる程度に、電力増幅器３３の電源電圧が高くなる。
【００５１】
フィルタ５１、レベル検出回路５２，５３、レベル比算出回路５４、減算器５５、メモリ５６及びテーブル５８は、ハードウェアによって実現されてもよい。また、レベル比算出回路５４または減算器５５は、プロセッサがソフトウェアを実行することによって実現されてもよい。
【００５２】
図１０は、図５に示す無線通信回路の動作の一例を示す図である。図１０に示すように、無線通信回路３１が動作を開始すると、包絡線検波回路３４は、無線通信回路３１に入力される入力信号を取得し（ステップＳ１）、取得した入力信号の包絡線振幅波形を抽出して電源電圧変調回路３５へ送る（ステップＳ２）。
【００５３】
一方、無線通信回路３１が動作を開始すると、カプラ３６から、カプラ３６で電力増幅器３３の出力信号を分配した信号が出力される。直交復調器３７は、カプラ３６の出力信号を取得し（ステップＳ４）、取得した出力信号を直交復調してベースバンド信号を出力する（ステップＳ５）。
【００５４】
次いで、一方のレベル検出回路５２は、直交復調器３７から入力されるベースバンド信号の全電力レベルを測定する（ステップＳ６）。また、フィルタ５１によって、直交復調器３７から入力されるベースバンド信号から、電力増幅器３３の出力信号のチャネルに隣接するチャネルの信号が抽出される。もう一方のレベル検出回路５３は、フィルタ５１によって抽出された信号、すなわち電力増幅器３３の出力信号のチャネルに隣接するチャネルの信号の電力レベルを測定する（ステップＳ７）。ステップＳ６の動作とステップＳ７の動作とは、いずれが先に実行されてもよいし、同時に実行されてもよい。
【００５５】
次いで、レベル比算出回路５４は、一方のレベル検出回路５２によって検出された電力レベルと、もう一方のレベル検出回路５３によって検出された電力レベルとの比を算出し、電力増幅器３３で生じる歪み量を求める。続いて、減算器５５は、レベル比算出回路５４によって算出された歪み量と目標歪み量５７との差分、すなわち歪み量の差分を算出する（ステップＳ８）。続いて、テーブル５８は、歪み量の差分の値に対応するオフセット値を電源電圧変調回路３５へ通知する（ステップＳ９）。
【００５６】
次いで、電源電圧変調回路３５は、包絡線振幅波形に基づいて電源電圧変調情報を作成し、その電源電圧変調情報にオフセット値を加えた情報に基づいて、電力増幅器３３に印加される電源電圧を変調する（ステップＳ３）。そして、一連の動作が終了する。なお、ステップＳ１〜ステップＳ２の動作と、ステップＳ４〜ステップＳ９の動作とは、並列に実行される。また、ステップＳ１〜ステップＳ９の動作は、無線通信回路３１の動作中、常時実行されてもよいし、間欠的に実行されてもよい。
【００５７】
図５に示す無線通信回路３１によれば、電力増幅器３３への入力信号の包絡線振幅波形が、電力増幅器３３からの出力信号の歪み量に対応するオフセット値によって補正される。そのため、エンベロープトラッキング方式によって電力増幅器３３に電源電圧を供給するにあたって、個々の電力増幅器３３の歪み特性に応じて電源電圧を制御することができる。それによって、従来のように電力増幅器３３に供給する電源電圧に、個々の電力増幅器３３の歪み特性のばらつきを吸収し得る程度の余裕を持たせる必要がない。つまり、無線通信回路３１の送信電力レベルが高出力でも低出力でも、その送信出力レベルに見合う電力で送信することができるため、電力効率が向上するという効果が得られる。
【００５８】
また、歪み量が目標歪み量５７の範囲に納まる電源電圧は、電力増幅器３３の個体差や周波数によってばらつくことがある。しかし、図５に示す無線通信回路３１によれば、電力増幅器３３の歪み特性に応じて電源電圧を制御することができるため、歪み量が目標歪み量５７の範囲に納まる電源電圧を、電力増幅器３３の個体差や周波数に応じて予め製造段階で実験等によって取得して無線通信回路３１に記憶させておく必要がない。そのため、無線通信回路３１の生産効率が向上するという効果が得られる。生産効率の向上によって、無線通信回路３１を有する無線通信装置を安価に提供することができるという効果が得られる。
【００５９】
また、図５に示す無線通信回路３１によれば、電力増幅器３３の出力信号の電力と、電力増幅器３３の出力信号のチャネルに隣接するチャネルの電力とを測定して、その比を求めることによって、電力増幅器３３の出力信号の歪み量を求めることができる。また、図５に示す無線通信回路３１によれば、電力増幅器３３の出力信号の歪み量と目標歪み量５７との差分を求めることによって、オフセット値を求めることができる。また、図５に示す無線通信回路３１によれば、電力増幅器３３の出力信号の歪み量と目標歪み量５７との差分に応じたオフセット値をテーブル５８から求めることができる。また、図５に示す無線通信回路３１によれば、フィルタ５１によって、電力増幅器３３の出力信号のチャネルに隣接するチャネルの信号を抽出することができる。
【００６０】
なお、無線通信回路３１は、直交変調及び直交復調を行う無線通信装置であれば、ＷＣＤＭＡ方式以外の通信方式に対応するものであってもよい。また、無線通信回路３１は、電力増幅器３３の出力信号の歪み量を検出することができれば、直交変調及び直交復調を行う無線通信装置でなくてもよい。
【００６１】
上述した各実施例を含む実施の形態に関し、さらに以下の付記を開示する。
【００６２】
（付記１）信号を増幅して出力する電力増幅部と、前記電力増幅部への入力信号の包絡線振幅波形を抽出する包絡線検波部と、前記電力増幅部の出力信号の歪み量に基づいて、前記電力増幅部に印加される電源電圧に対するオフセット値を生成するオフセット生成部と、前記包絡線検波部によって抽出される前記包絡線振幅波形と前記オフセット生成部によって生成される前記オフセット値とに基づいて、前記電力増幅部に印加される電源電圧を制御する電源電圧変調部と、を備えることを特徴とする無線通信回路。
【００６３】
（付記２）前記電力増幅部の出力信号の歪み量は、前記電力増幅部の出力信号の電力と、前記出力信号のチャネルに隣接するチャネルの電力との比で表されることを特徴とする付記１に記載の無線通信回路。
【００６４】
（付記３）前記オフセット値は、前記電力増幅部の出力信号の歪み量と、予め設定される目標歪み量との差分に比例する値で表されることを特徴とする付記１または２に記載の無線通信回路。
【００６５】
（付記４）前記電力増幅部の出力信号の歪み量と、予め設定される目標歪み量との差分に対する前記オフセット値を格納するテーブルを有することを特徴とする付記３に記載の無線通信回路。
【００６６】
（付記５）前記電力増幅部の出力信号のチャネルに隣接するチャネルの信号を抽出するフィルタを有することを特徴とする付記２に記載の無線通信回路。
【００６７】
（付記６）信号を増幅して出力する電力増幅部と、前記電力増幅部への入力信号の包絡線振幅波形を抽出する包絡線検波部と、前記電力増幅部の出力信号の歪み量に基づいて、前記電力増幅部に印加される電源電圧に対するオフセット値を生成するオフセット生成部と、前記包絡線検波部によって抽出される前記包絡線振幅波形と前記オフセット生成部によって生成される前記オフセット値とに基づいて、前記電力増幅部に印加される電源電圧を制御する電源電圧変調部と、を備える無線通信回路を有することを特徴とする無線通信装置。
【符号の説明】
【００６８】
１，３１  無線通信回路
２  電力増幅部
３  包絡線検波部
４  オフセット生成部
５  電源電圧変調部
１１  無線通信装置
３３  電力増幅器
３４  包絡線検波回路
３５  電源電圧変調回路
３７  直交復調器
３８  歪み判定回路
５１  フィルタ
５７  目標歪み量
５８  テーブル
【図１】
2015037284.tif 000003
【図２】
2015037284.tif 000004
【図３】
2015037284.tif 000005
【図４】
2015037284.tif 000006
【図５】
2015037284.tif 000007
【図６】
2015037284.tif 000008
【図７】
2015037284.tif 000009
【図８】
2015037284.tif 000010
【図９】
2015037284.tif 000011
【図１０】
2015037284.tif 000012